(57)【要約】【課題】個人を認証できるようにすると共に情報を受信して表示できるようにしたＩＤカードを提供することを目的とする。【解決手段】ＩＤカード３は、個人を認証するための個人認証情報を有すると共に情報送信ネットワークから送信された情報を受信して該情報を表示装置３ａに表示する。認証ネットワークのゲートステーションは、このＩＤカード３のコード記号３ｐを走査して個人認証情報を読み取り、個人を認証してゲートの開閉を制御する。これにより、ＩＤカード３の１つで、身分を証明するための身分証、個人の入退場を管理するゲートキーおよび情報を受信して表示する情報端末の機能を兼ねることができる。【選択図】図４
2011118852.tif 000002
【特許請求の範囲】
【請求項１】
個人を認証するための個人認証情報を有した個人認証カードであって、
情報送信ネットワークから送信された情報を受信する受信部と、
前記受信部により受信した情報から出力情報を生成する生成部と、
前記出力情報を表示する表示部とを備えることを特徴とする個人認証カード。
【請求項２】
前記出力情報を記憶する記憶部と、
前記記憶部に記憶された出力情報を切り替えるスイッチ部とを備え、
前記表示部は、前記スイッチ部により切り替えられた出力情報を表示することを特徴とする請求項１に記載の個人認証カード。
【請求項３】
前記個人認証情報はコード記号で表示され、
前記コード記号は、コード記号走査装置により走査されて個人認証情報が読み取られ、
予め登録された個人認証情報と、前記コード記号走査装置により読み取られた個人認証情報が照合され、これらの個人認証情報が一致すれば入り口のゲートが開かれることを特徴とする請求項１に記載の個人認証カード。
【請求項４】
前記個人認証情報は電波信号により出力され、
前記電波信号は、受信装置により受信されて個人認証情報が読み取られ、
予め登録された個人認証情報と、前記受信装置により読み取られた個人認証情報が照合され、これらの個人認証情報が一致すれば入り口のゲートが開かれることを特徴とする請求項１に記載の個人認証カード。
【請求項５】
前記情報送信ネットワークから送信された情報を受信している場合に発光するＬＥＤを備えることを特徴とする請求項１に記載の個人認証カード。
【請求項６】
前記情報送信ネットワークから送信された情報を受信すると放音する放音器を備えることを特徴とする請求項１に記載の個人認証カード。
【請求項７】
前記情報送信ネットワークに所望の情報を要求する場合に、
前記放音器は、前記情報送信ネットワークから前記情報が受信できないときに放音することを特徴とする請求項６に記載の個人認証カード。
【請求項８】
情報を無線で送信する情報送信ネットワークと、
個人を認証するための個人認証情報を有すると共に前記情報送信ネットワークから送信された情報を受信して該情報を表示する個人認証カードと、
前記個人認証カードの個人認証情報を読み取って個人を認証する認証ネットワークとを備えることを特徴とする個人認証ネットワークシステム。
【請求項９】
前記個人認証情報はコード記号で表示され、
前記認証ネットワークは、
前記コード記号を走査して個人認証情報を読み取るコード記号走査装置と、
前記コード記号走査装置により読み取られた個人認証情報に基づいて個人の入退場を管理する個人認証コントローラとを備えることを特徴とする請求項８に記載の個人認証ネットワークシステム。
【請求項１０】
前記個人認証情報は電波信号により出力され、
前記認証ネットワークは、
前記電波信号を受信して個人認証情報を読み取る受信装置と、
前記受信装置により読み取られた個人認証情報に基づいて個人の入退場を管理する個人認証コントローラとを備えることを特徴とする請求項８に記載の個人認証ネットワークシステム。
【請求項１１】
前記情報送信ネットワークは複数の基地局を備え、
前記基地局の各々は、基地局毎に異なる、無線信号を送信する伝搬領域を有することを特徴とする請求項８に記載の個人認証ネットワークシステム。
【請求項１２】
前記基地局毎に異なる伝搬領域に送信する情報は、それぞれ異なる情報又は同一の情報であることを特徴とする請求項１１に記載の個人認証ネットワークシステム。
【請求項１３】
前記個人認証カードは、
前記情報送信ネットワークから送信された情報を受信すると放音する放音器を備えることを特徴とする請求項８に記載の個人認証ネットワークシステム。
【請求項１４】
前記個人認証カードが前記情報送信ネットワークに所望の情報を要求する場合に、
前記放音器は、前記情報送信ネットワークから前記情報が受信できないときに放音することを特徴とする請求項１３に記載の個人認証ネットワークシステム。
【発明の詳細な説明】
【技術分野】
【０００１】
本発明は、個人を認証するための個人認証カードおよびこれを用いた個人認証ネットワークシステムに関するものである。
【背景技術】
【０００２】
個人の身分を示す情報が記載された身分証カードは、例えば、社員証、学生証、免許証および保険証として広く使われている。また、近年、ＩＣ（Integrated Circuit）カードが広く普及しており、これらの身分証にＩＣカードが使用されることが多い。このようなＩＣ付き個人認証カードは、社員証として使用されることがあり、また、会社や事業所の建物に入る際の電子キーと兼用する場合もある。更には、社内で、ネットワークやパーソナルコンピュータを使用する認証キーに用いられることもある。例えば、ＲＦＩＤ（Radio Frequency Identification）のように電波などを使用して情報を送信し、ＩＣ付き個人認証カードに内蔵された識別番号及びパスワードとコンピュータネットワークのサーバに保存された識別番号及びパスワードとを照合して認証を行う。
【０００３】
特許文献１には、ページャ機能を備えた電子名札が開示されている。この電子名札によれば、表側と裏側の両方に液晶表示手段を備え、所属や名前などの名札情報を表側に表示し、ページャ機能によって受信したメッセージなどを裏側に表示する。
【０００４】
また、特許文献２には、カードの保有者を認証するＩＤカードが開示されている。このＩＤカードによれば、指紋などの人的特徴を示す個体識別情報を記憶するメモリと、人的特徴を検出する検出部と、検出部により検出された人的特徴とメモリに記憶された人的特徴を示す個体識別情報とを照合する照合部とを備えるものである。
【先行技術文献】
【特許文献】
【０００５】
【特許文献１】特開平８−２５８４６９号公報
【特許文献２】特開２００２−２４７８４号公報
【発明の概要】
【発明が解決しようとする課題】
【０００６】
ところで、従来例に係るＩＣカードによれば、１つ１つがオーダーメイドであり、高価になってしまうことがある。また、社内の打ち合わせ等では、その情報を共有するために、各人がＰＣ（パーソナルコンピュータ）や携帯電話等の情報機器を持ち歩く必要がある。この場合、簡単なスケジュールやイベントがすぐにわかるようにＩＣカードと情報機器の一部の機能が一体になっていれば便利である。特許文献１に記載の電子名札はページャ機能を備えているが個人を認証する機能を備えておらず、個人の入退場を自動的に管理することが困難である。また、特許文献２に記載のＩＤカードは、ネットワークから送信された情報を受信して表示することが困難であり、スケジュールやイベントを管理することが難しい。
【０００７】
そこで、本発明はこのような従来例に係る課題を解決したものであって、個人を認証できるようにすると共に情報を受信して表示できるようにした個人認証カードおよび個人認証ネットワークシステムを提供することを目的とする。
【課題を解決するための手段】
【０００８】
上述した課題を解決するために、本発明に係る個人認証カードは、個人を認証するための個人認証情報を有した個人認証カードであって、情報送信ネットワークから送信された情報を受信する受信部と、前記受信部により受信した情報から出力情報を生成する生成部と、前記出力情報を表示する表示部とを備えるものである。
【０００９】
また、上述した課題を解決するために、本発明に係る個人認証ネットワークシステムは、情報を無線で送信する情報送信ネットワークと、個人を認証するための個人認証情報を有すると共に前記情報送信ネットワークから送信された情報を受信して該情報を表示する個人認証カードと、前記個人認証カードの個人認証情報を読み取って個人を認証する認証ネットワークとを備えるものである。
【００１０】
本発明において、情報送信ネットワークは情報を無線で送信する。個人認証カードは、情報送信ネットワークから送信された情報を受信して該情報を表示する。認証ネットワークは、個人認証カードの個人認証情報を読み取って個人を認証する。これにより、個人認証カード１つで、身分を証明するための身分証、個人の入退場を管理するゲートキーおよび情報を受信して表示する情報端末の機能を兼ねることができる。
【００１１】
個人認証カードは、その記憶部に出力情報を記憶し、スイッチ部によりこの記憶部に記憶された出力情報を切り替える。個人認証カードの表示部は、スイッチ部により切り替えられた出力情報を順次表示する。
【００１２】
個人認証情報はコード記号で表示され、このコード記号は、認証ネットワークのコード記号走査装置により走査されて個人認証情報が読み取られる。予め登録された個人認証情報と、このコード記号走査装置により読み取られた個人認証情報が照合され、これらの個人認証情報が一致すれば入り口のゲートが開かれる。
【発明の効果】
【００１３】
本発明に係る個人認証カードによれば、個人を認証するための個人認証情報を有すると共に、情報送信ネットワークから受信した情報を表示部に表示するものである。これにより、個人認証カード１つで、身分を証明するための身分証、個人の入退場を管理するゲートキーおよび情報を受信して表示する情報端末の機能を兼ねることができる。
【００１４】
また、本発明に係る個人認証ネットワークシステムによれば、個人認証カードが、個人を認証するための個人認証情報を有すると共に情報送信ネットワークから送信された情報を受信して該情報を表示し、認証ネットワークが、この個人認証カードの個人認証情報を読み取って個人を認証するものである。これにより、身分証、ゲートキーおよび情報端末の機能を兼ね備えた個人認証カードにより、個人を認証できると共に情報を受信して表示できる。
【図面の簡単な説明】
【００１５】
【図１】Ａ及びＢは、個人認証ネットワークシステム１００の構成例を示す概略図である。
【図２】ＩＤカード３の装着例を示す説明図である。
【図３】個人認証ネットワークシステム１００の応用例を示す説明図である。
【図４】ＩＤカード３の外観の構成例を示す正面図及び側面図である。
【図５】ＩＤカード３の制御系の構成例を示すブロック図である。
【図６】Ａ及びＢはＩＤカード３の社員用の表示例（その１）を示す正面図である。
【図７】Ａ及びＢはＩＤカード３の社員用の表示例（その２）を示す正面図である。
【図８】Ａ及びＢはＩＤカード３の客人用の表示例（その１）を示す正面図である。
【図９】ＩＤカード３の客人用の表示例（その２）を示す正面図である。
【図１０】ＩＤカード３の使用例（その１）を示す説明図である。
【図１１】ＩＤカード３の使用例（その２）を示す説明図である。
【図１２】ＩＤカード３の情報取得例（その１）を示す説明図である。
【図１３】ＩＤカード３の情報取得例（その２）を示す説明図である。
【図１４】ゲートステーション１０２Ｃ，１０２Ｄの動作例を示す説明図である。
【図１５】ＩＤカード３Ａの制御系の構成例を示すブロック図である。
【図１６】指紋認証部３０の構成例を示すブロック図である。
【図１７】Ａ及びＢは、ＩＤカード３Ａの表示例を示す正面図である
【図１８】ＩＤカード３Ｂの制御系の構成例を示すブロック図である。
【図１９】パスワード認証部３５の構成例を示すブロック図である。
【図２０】Ａ及びＢは、ＩＤカード３Ｂの表示例を示す正面図である
【発明を実施するための形態】
【実施例１】
【００１６】
続いて、本発明に係る個人認証カードおよび個人認証ネットワークシステムを実施するための形態について説明する。本発明は、個人認証カードが、個人を認証するための個人認証情報を有すると共に情報送信ネットワークから受信した情報を表示部に表示することにより、個人認証カード１つで、身分を証明するための身分証、個人の入退場を管理するゲートキーおよび情報を受信して表示する情報端末の機能を兼ねることができるようにしたものである。
【００１７】
［個人認証ネットワークシステム１００の構成例］  
図１Ａを参照して、個人認証ネットワークシステム１００の構成例について説明する。図１Ａに示すように、個人認証ネットワークシステム１００は、認証ネットワーク１、情報送信ネットワーク２、個人認証カードの一例であるＩＤカード３及びサーバ４から構成されている。この例で、サーバ４は、認証ネットワーク１及び情報送信ネットワーク２の両方に属している。
【００１８】
認証ネットワーク１は、ＩＤカード３の個人認証情報を読み取って個人を認証する。個人認証情報は、コード記号（バーコードや二次元コード等）でＩＤカード３の表示装置３ａ（図１Ｂ参照）に表示される。個人認証情報には、識別番号や氏名、パスワードなどが含まれる。
【００１９】
認証ネットワーク１は会社内に配設され、個人認証コントローラ１０１、ゲートステーション１０２Ａ，１０２Ｂ、固定ステーション１１１，１１２，・・・，Ｍおよびサーバ４から構成されている。ゲートステーション１０２Ａ，１０２Ｂはコード記号走査装置の一例であり、コード記号を走査して個人認証情報を読み取る。個人認証コントローラ１０１は、ゲートステーション１０２Ａ，１０２Ｂにより読み取られた個人認証情報に基づいて個人の入退場を管理する。
【００２０】
この例で、ゲートステーション１０２Ａは建物の入り口付近に設置され、コード記号を走査して識別番号や氏名、パスワードから成る個人認証情報を読み取る。ゲートステーション１０２Ａは、読み取った識別番号及びパスワードを個人認証コントローラ１０１に出力する。個人認証コントローラ１０１は、予め登録された個人認証情報の識別番号及びパスワードと、ゲートステーション１０２Ａから出力された個人認証情報の識別番号及びパスワードとを照合し、これらの個人認証情報が一致すれば入り口のゲートを開くように制御する。個人認証コントローラ１０１は、この個人認証情報が示す社員を入館状態として記憶する。
【００２１】
一方、ゲートステーション１０２Ｂは建物の出口付近に設置され、コード記号を走査して識別番号や氏名、パスワードから成る個人認証情報を読み取る。ゲートステーション１０２Ｂは、読み取った識別番号及びパスワードを個人認証コントローラ１０１に出力する。
【００２２】
個人認証コントローラ１０１は、ゲートステーション１０２Ｂから出力された個人認証情報の識別番号が入館状態として記憶されているか否かを判定する。個人認証コントローラ１０１は、この識別番号が入館状態として記憶されていない場合、ブザー音などによりエラーを出力する。識別番号が入館状態として記憶されている場合、個人認証コントローラ１０１は、予め登録された個人認証情報の識別番号及びパスワードと、ゲートステーション１０２Ｂから出力された個人認証情報の識別番号及びパスワードとを照合し、これらの個人認証情報が一致すれば出口のゲートを開くように制御する。個人認証コントローラ１０１は、この個人認証情報が示す社員の入館状態を解除して退館状態として記憶する。
【００２３】
図１Ａに示す情報送信ネットワーク２は、スケジュールなどの情報を無線で送信する。この例で、情報送信ネットワーク２は、ＩＤカードコントローラ２０１、基地局２１１，２１２，・・・，Ｎおよびサーバ４から構成されている。サーバ４には、掲示板やスケジュール、外部向けの情報などが記憶されている。これらのサーバ４の情報は、ＰＣコントローラ５を介して情報送信ネットワーク２に接続されたＰＣ６ａ〜６ｃにより設定される。
【００２４】
サーバ４に記憶されている掲示板は、社内に通知すべき施設の使用注意、ネットワークのメンテナンスや社内行事等が適宜担当者から設定される。サーバ４に記憶されているスケジュールは、公開して問題のない社員の日程などが記載される。サーバ４に記憶されている外部向け情報は、客人が訪問した際にＰＲとして伝送するものである。サーバ４は、これらのスケジュールなどの情報をＩＤカードコントローラ２０１に出力する。
【００２５】
ＩＤカードコントローラ２０１は、基地局２１１，２１２，・・・，Ｎを制御する。例えば、ＩＤカードコントローラ２０１は、サーバ４から入力したスケジュールなどの情報を基地局２１１，２１２，・・・，Ｎに出力する。
【００２６】
基地局２１１，２１２，・・・，Ｎはそれぞれ、ＩＤカードコントローラ２０１から入力したスケジュールなどの情報を変調して無線信号として所定の伝搬領域に送信する。例えば、基地局２１１は図１Ａの破線で示すグループＡの伝搬領域に無線信号を送信し、基地局２１２は破線で示すグループＢの伝搬領域に無線信号を送信し、基地局Ｎは破線で示すグループＮの伝搬領域に無線信号を送信する。これらの基地局毎に異なる伝搬領域に送信する情報は、それぞれ異なる情報であってもよいし、又は同一の情報であってもよい。
【００２７】
基地局２１１，２１２，・・・，Ｎはそれぞれ、ＩＤカード３から送信された信号を受信してＩＤカードコントローラ２０１に出力する。例えば、最新のスケジュールなどの情報を受信したい場合、その問い合わせを示す信号をＩＤカード３からいずれかの基地局に送信する。この例で、基地局２１１は破線で示すグループＡの伝搬領域に存在するＩＤカード３から送信された信号を受信し、基地局２１２は破線で示すグループＢの伝搬領域に存在するＩＤカード３から送信された信号を受信し、基地局Ｎは破線で示すグループＮの伝搬領域に存在するＩＤカード３から送信された信号を受信する。
【００２８】
基地局２１１，２１２，・・・，Ｎはそれぞれ、ＩＤカード３から送信された問い合わせを示す信号を受信してＩＤカードコントローラ２０１に出力する。ＩＤカードコントローラ２０１は、最新のスケジュールなどの情報を出力するようにサーバ４を制御する。
【００２９】
ＩＤカード３は、個人を認証するための個人認証情報（識別番号やパスワードなど）を有すると共に情報送信ネットワーク２から送信されたスケジュールなどの情報を受信して該情報を表示する。
【００３０】
固定ステーション１１１，１１２，・・・，Ｍは、スケジュールなどの情報を出力する。個人認証コントローラ１０１は、サーバ４からスケジュールなどの情報を取得して固定ステーション１１１，１１２，・・・，Ｍに出力する。この例では、無線信号の伝搬状態が不安定の際に、ＩＤカード３が、情報送信ネットワーク２から送信されたスケジュールなどの情報を受信できない場合に、ＩＤカード３を固定ステーション１１１，１１２，・・・，Ｍのいずれかに近接させ、固定ステーション１１１，１１２，・・・，Ｍからスケジュールなどの情報を受信する。例えば、固定ステーション１１１，１１２，・・・，ＭからＩＤカード３に対して、ＲＦＩＤ（Radio Frequency Identification）、Bluetooth（登録商標）及びZigBee（登録商標）のように電波などを使用した短距離無線通信を実施して情報を送信する。ＩＤカード３は、固定ステーション１１１などから情報を受信して当該情報を表示装置３ａに表示する。これにより、情報送信ネットワーク２に不具合が発生しても、確実にスケジュールなどの情報を受信して表示することができるようになる。なお、上述の例では、固定ステーション１１１，１１２，・・・，ＭからＩＤカード３に対して電磁波により情報を送信する例を示したが、これに限らずＩＤカード３を固定ステーション１１１などにコネクタにより接触接続させて情報を伝送するようにしてもよい。
【００３１】
［個人認証ネットワークシステム１００の動作例］  
続いて、個人認証ネットワークシステム１００の動作例について説明する。ＩＤカード３を所有する社員は社内の建物に入館する際に、認証ネットワーク１のゲートステーション１０２Ａの光学系にＩＤカード３のコード記号をかざす。このコード記号は、ゲートステーション１０２Ａにより走査されて個人認証情報（識別番号及びパスワード）が読み取られ、当該識別番号及びパスワードが個人認証コントローラ１０１に出力される。
【００３２】
個人認証コントローラ１０１に予め登録された個人認証情報の識別番号及びパスワードと、ゲートステーション１０２Ａから出力された個人認証情報の識別番号及びパスワードとが照合され、これらの個人認証情報が一致すれば入り口のゲートが開かれる。このとき、この個人認証情報が示す社員は、個人認証コントローラ１０１により入館状態として記憶される。
【００３３】
掲示板やスケジュール、外部向けの情報などは、サーバ４によりＩＤカードコントローラ２０１を介して基地局２１１，２１２，・・・，Ｎに出力される。このスケジュールなどの情報は、基地局２１１，２１２，・・・，Ｎにより変調されて無線信号として破線で示すグループＡ，Ｂ，・・・，Ｎの伝搬領域に送信される。
【００３４】
図１Ｂに示すように、ＩＤカード３は、グループＡ，Ｂ，・・・，Ｎの伝搬領域に送信されたスケジュールなどの情報を受信して表示する。図１Ｂでは、ＩＤカード３を所有するユーザ（例えば、図２に示すように、首からぶら下げてＩＤカード３を所有する。）がゲートステーション１０２Ａを通過してグループＡの範囲内に入ると、基地局２１１から無線信号として送信されているサーバ４からの掲示板の情報をＩＤカード３が受信する。すると、ＩＤカード３の表示装置３ａに掲示板の情報が表示される。また、ＩＤカード３を所有するユーザがグループＢの範囲内に入ると、基地局２１２から無線信号として送信されているサーバ４からのスケジュールの情報をＩＤカード３が受信する。すると、図１Ｂでは省略するが、表示装置３ａにスケジュールの情報が表示される（表示装置３ａの表示が掲示板の情報からスケジュールの情報に切り替わる）。更に、ＩＤカード３を所有するユーザがグループＮの範囲内に入ると、基地局Ｎから無線信号として送信されているサーバ４からの外部向けの情報をＩＤカード３が受信する。すると、図１Ｂでは省略するが、表示装置３ａに外部向けの情報が表示される（表示装置３ａの表示がスケジュールの情報から外部向けの情報に切り替わる）。
【００３５】
なお、上述の説明では、ＩＤカード３が、基地局２１１，２１２，・・・，Ｎから送信される無線信号により掲示板、スケジュール及び外部向けの情報を受信することを説明したが、固定ステーション１１１，１１２，・・・，Ｍから掲示板、スケジュール及び外部向けの情報を受信しても構わない。これにより、基地局２１１，２１２，・・・，Ｎから送信される無線信号がＩＤカード３に届かなくて受信できなくても、固定ステーション１１１，１１２，・・・，Ｍから掲示板、スケジュール及び外部向けの情報を受信できる。
このように、ＩＤカード３の１つで、身分を証明するための身分証、個人の入退場を管理するゲートキーおよび情報を受信して表示する情報端末の機能を兼ねることができる。
【００３６】
なお、最新のスケジュールなどの情報を受信したい場合、その問い合わせを示す信号をＩＤカード３から基地局２１１，２１２，・・・，Ｎのいずれかに送信する。当該基地局は、ＩＤカード３から出力された問い合わせ信号を、ＩＤカードコントローラ２０１を介してサーバ４に出力する。サーバ４は、このＩＤカード３からの問い合わせ信号を入力すると、最新のスケジュールなどの情報をＩＤカードコントローラ２０１に出力する。ＩＤカードコントローラ２０１は、基地局２１１，２１２，・・・，Ｎを介して最新のスケジュールなどの情報をＩＤカード３に送信する。
【００３７】
社内の建物から退館する際に、ＩＤカード３を所有する社員は認証ネットワーク１のゲートステーション１０２Ｂの光学系にＩＤカード３のコード記号をかざす。このコード記号は、ゲートステーション１０２Ｂにより走査されて個人認証情報（識別番号及びパスワード）が読み取られ、当該識別番号及びパスワードが個人認証コントローラ１０１に出力される。
【００３８】
ゲートステーション１０２Ｂから出力された個人認証情報の識別番号は、個人認証コントローラ１０１により、入館状態として記憶されているか否かが判定される。この識別番号が入館状態として記憶されている場合、個人認証コントローラ１０１に予め登録された個人認証情報の識別番号及びパスワードと、ゲートステーション１０２Ｂから出力された個人認証情報の識別番号及びパスワードとが照合され、これらの個人認証情報が一致すれば出口のゲートが開かれる。このとき、この個人認証情報が示す社員は、個人認証コントローラ１０１により入館状態が解除されて退館状態として記憶される。
【００３９】
［個人認証ネットワークシステム１００の応用例］  
次に、個人認証ネットワークシステム１００の応用例について説明する。図３に示すように、ＩＤカードコントローラ２０１には基地局２１３，２１４，２１５がそれぞれ接続されている。基地局２１３は、食堂に設けられ、ＩＤカードコントローラ２０１を介して出力される、サーバ４に記憶されている掲示板、スケジュールおよび外部向けの情報を変調して無線信号として破線で示すグループＣの伝搬領域に送信する。また、基地局２１４は、事務所に設けられ、ＩＤカードコントローラ２０１を介して出力される、サーバ４に記憶されている上述の情報を変調して無線信号として破線で示すグループＤの伝搬領域に送信する。更に、基地局２１５は、会議室に設けられ、ＩＤカードコントローラ２０１を介して出力される、サーバ４に記憶されている上述の情報を変調して無線信号として破線で示すグループＥの伝搬領域に送信する。
【００４０】
このように、食堂、事務所及び会議室に基地局２１３，２１４，２１５を設けることによって、ＩＤカード３を所有するユーザが例えば食堂から事務所、事務所から会議室等に移動しても、ＩＤカード３は、確実に基地局２１３，２１４，２１５から掲示板、スケジュール及び外部向けの情報を受信できる。つまり、ＩＤカード３は、無線信号の伝搬領域内であれば社内のどこにいてもサーバ４が記憶している情報を取得することができる。
【００４１】
なお、上述の説明では、ＩＤカード３が、基地局２１３，２１４，２１５から送信される無線信号により掲示板、スケジュール及び外部向けの情報を受信することを説明したが、食堂に固定ステーション１１３を設け、事務所に固定ステーション１１４を設け、会議室に固定ステーション１１５を設けて、当該固定ステーション１１３，１１４，１１５から掲示板、スケジュール及び外部向けの情報を受信しても構わない。これにより、基地局２１３，２１４，２１５から送信される無線信号がＩＤカード３に届かなくて受信できなくても、固定ステーション１１３，１１４，１１５から掲示板、スケジュール及び外部向けの情報を受信できる。
【００４２】
［ＩＤカード３の外観例］  
続いて、図４を参照してＩＤカード３の外観について説明する。図４に示すＩＤカード３のハウジング３ｓの表面には、薄型の表示装置３ａが設けられている。この表示装置３ａは、液晶ディスプレイ、電子ペーパー及び有機ＥＬなど、薄く小型で文字、画像等を表示及び表示切換が可能な電子デバイスである。
【００４３】
表示装置３ａの左画面３Ｌには、顔写真３ｑやコード記号３ｐ（バーコード、二次元コード）などの画像データが表示されている。また、表示装置３ａの右画面３Ｒには、個人の所属等の文字データが表示されている。これらの左画面３Ｌ及び右画面３Ｒに表示される個人情報は、個々の社員がＩＤカード３を所有する際に登録される。なお、顔写真３ｑやコード記号３ｐは基本的に固定なので、表示装置３ａを用いて表示することは必須ではなく、紙に印刷したものを貼り付けてもよい。
【００４４】
右画面３Ｒに表示される文字データは、コード記号３ｐに埋め込まれた情報であり、このコード記号３ｐを不図示の光学走査装置で走査することによって、それらの情報を印刷、別表示装置等に出力することができる。
【００４５】
表示装置３ａの裏側には表示装置３ａを駆動する駆動系や信号処理系を備えたプリント基板３ｉが内蔵されている。このプリント基板３ｉの構成については後述の図５に示す。更に、ＩＤカード３には、当該ＩＤカード３を駆動するためにボタン電池３ｄが着脱可能に設置され、また、情報送信ネットワーク２から情報を送受信するために、アンテナ３ｃが内蔵されている。
【００４６】
また、ＩＤカード３の側部には表示装置３ａの表示内容を切り替えたり、リセットしたりするために各種ボタンが設けられている。例えば、表示画面を順方向に移動させるボタン３ｅ、表示画面を逆方向に移動させるボタン３ｆ、表示画面をリセットするボタン３ｇ及びＩＤカード３からサーバ４へ問い合わせを実施するためのボタン３ｈが設けられている。更に、ＩＤカード３の表面には、ＩＤカード３が正常に情報を受信している場合に発光する発光素子の一例であるＬＥＤ３ｂが設けられている。また、ＩＤカード３の表面には、ＩＤカード３が正常に情報を受信していない場合に放音する放音器の一例であるブザー３ｋが設けられている。
【００４７】
続いて、図５を参照してＩＤカード３の制御系について説明する。図５に示すＩＤカード３の基板３ｉには、受信部３０１、データ取得部３０２、ページ画像生成部３０３、ページ画像記憶部３０４、表示駆動部３０５、表示部３０６、ページ切換部３０７、問い合わせ信号発信部３０８及びＣＰＵ３０９が設置されている。更に、基板３ｉにはＣＰＵ３０９に接続されたブザー３ｋが設置されている。
【００４８】
受信部３０１はアンテナ３ｃに接続され、図１Ａに示した情報送信ネットワーク２から送信されたスケジュールなどの情報を、アンテナ３ｃを介して受信する。データ取得部３０２は、受信部３０１からスケジュールなどの情報を取得してページ画像生成部３０３に出力する。
【００４９】
ページ画像生成部３０３は生成部の一例であり、１ページ分（ｎ行ｍ列の表示画素）の画像データを生成してページ画像記憶部３０４に出力する。ページ画像記憶部３０４は記憶部の一例であり、ページ画像生成部３０３から出力されたページ画像を記憶する。ページ画像生成部３０３はページ画像記憶部３０４に記憶されたページ画像を表示駆動部３０５に出力する。表示駆動部３０５は、ページ画像生成部３０３から出力されたページ画像に基づいて表示部３０６を制御する。表示部３０６はページ画像を画面に表示する。表示駆動部３０５及び表示部３０６は表示装置３ａを構成する。
【００５０】
ページ切換部３０７は、ボタン３ｅ，３ｆ，３ｇからの操作信号に基づいて、ページ画像記憶部３０４に記憶されたページ画像の出力を切り換える。ページ画像生成部３０３はページ画像記憶部３０４を参照して、ページ切換部３０７により切り換えられたページ画像を表示駆動部３０５に出力する。なお、ページ切換部３０７およびボタン３ｅ，３ｆ，３ｇはスイッチ部の一例である。
【００５１】
これにより、ボタン３ｅ，３ｆ，３ｇを操作することによって、表示部３０６の画面の表示を順次切り換えることができる。例えば、ボタン３ｅが操作されると表示画面を順方向に移動し、ボタン３ｆが操作されると表示画面を逆方向に移動し、ボタン３ｇが操作されると表示画面をリセットする。更にメニュー画面を備えている場合には、ボタン３ｅ，３ｆ，３ｇを操作することによってメニュー画面に切り換えてメニューの案内を選択できる。
【００５２】
問い合わせ信号発信部３０８はボタン３ｈからの操作信号に基づいて、図１Ａに示した基地局２１１，２１２，・・・，Ｎに問い合わせ信号を発信する。この問い合わせ信号は、情報送信ネットワークに所望の情報を要求するための情報である。この例で、ＩＤカード３を所有する社員は、最新のスケジュールなどの情報を受信したい場合や情報がうまく表示できない場合などに、ボタン３ｈを操作して問い合わせ信号発信部３０８から基地局２１１，２１２，・・・，Ｎに問い合わせ信号を発信する。これにより、スケジュールなどの情報を再度受信できるようになる。問い合わせ信号発信部３０８による問い合わせでも情報を受信できない場合には、ユーザに情報が受信できないことを報知するためにブザー３ｋが鳴る。ＣＰＵ３０９は、受信部３０１、データ取得部３０２、ページ画像記憶部３０４、表示駆動部３０５及び問い合わせ信号発信部３０８を制御する。
【００５３】
なお、本実施例では、ブザー３ｋは、情報が受信できないときに鳴るようにしたが、これに限定されず、受信部３０１が情報を受信したら鳴るようにしても構わない。これにより、ユーザの聴覚によって情報の受信を認知することができる。
【００５４】
［ＩＤカード３の制御系の動作例］  
続いて、ＩＤカード３の制御系の動作例について説明する。図１Ａに示した基地局２１１，２１２，・・・，Ｎから送信されたスケジュールなどの情報は、図５に示すアンテナ３ｃを介して受信部３０１により受信される。受信後、スケジュールなどの情報は、データ取得部３０２により受信部３０１から取得されてページ画像生成部３０３に出力される。スケジュールなどの情報は、ページ画像生成部３０３により１ページ分の画像データ（ページ画像）に生成されてページ画像記憶部３０４に記憶される。
【００５５】
ページ画像記憶部３０４に記憶されたページ画像の出力は、ページ切換部３０７により切り換えられる。ページ切換部３０７により切り換えられたページ画像記憶部３０４のページ画像は、ページ画像生成部３０３により表示駆動部３０５に出力される。表示駆動部３０５は、ページ画像生成部３０３から出力されたページ画像に基づいて表示部３０６を制御し、表示部３０６はページ画像を画面に表示する。これにより、ボタン３ｅ，３ｆ，３ｇを操作することによって、表示部３０６の画面の表示を順次切り換えることができる。
【００５６】
［ＩＤカード３の表示例（社員用）］  
続いて、図６及び図７を参照して、ＩＤカード３の表示例（社員用）について説明する。図６Ａに示すＩＤカード３における表示装置３ａの左画面３Ｌには、顔写真３ｑおよびコード記号３ｐの画像データが表示され、表示装置３ａの右画面３Ｒには、氏名や所属等を示す個人情報画面３ｔが表示されている。この個人情報画面３ｔの情報は、ＩＤカード３のページ画像記憶部３０４に記憶されている。この例では、社員がＩＤカード３を所有する際に、最初に個人情報画面３ｔを示す情報をページ画像記憶部３０４に登録する。個人情報画面３ｔをページ画像記憶部３０４に登録する場合には、無線信号を使用してデータを送信してもよいし、ＩＤカード３にコードを接続してデータを送信してもよい。例えばこの個人情報画面３ｔを初期画面に設定し、リセット用のボタン３ｇが操作されると、図６Ａに示すように右画面３Ｒに個人情報画面３ｔが表示される。これにより、後述する他の画面から個人情報画面３ｔの画面に直ぐに戻ることができる。
【００５７】
図６Ｂに示す左画面３Ｌには、顔写真３ｑおよびコード記号３ｐの画像データが表示され、右画面３Ｒには、施設の使用状況を示す施設スケジュール画面３ｕが表示されている。施設スケジュール画面３ｕは、ボタン３ｅ，３ｆが操作されることにより表示される。例えば、順方向に表示画面を移動させるボタン３ｅが操作されて、図６Ａに示した個人情報画面３ｔから施設スケジュール画面３ｕに移動する。この施設スケジュール画面３ｕには、例えば「応接室１０１号室が１３時から来客用に使用される」や「会議室２０３が空室である」などを示す内容が表示される。これにより、一々、ノートパソコンなどの情報端末を持ち歩かなくても、ＩＤカード３により施設の使用状況を略リアルタイムで容易に確認することができる。
【００５８】
この施設スケジュール画面３ｕに表示される情報は、図１Ａに示したサーバ４から基地局２１１，２１２，・・・，Ｎを介して送信され、ＩＤカード３のページ画像記憶部３０４に記憶される。施設スケジュール画面３ｕを示す情報がサーバ４から送信される間隔は、数分〜１時間程度である。
【００５９】
図７Ａに示す左画面３Ｌには、顔写真３ｑおよびコード記号３ｐの画像データが表示され、右画面３Ｒには、各個人のスケジュールを示すスケジュール表画面３ｖが表示されている。スケジュール表画面３ｖは、ボタン３ｅ，３ｆが操作されることにより表示される。例えば、順方向に表示画面を移動させるボタン３ｅが操作されて、図６Ｂに示した施設スケジュール画面３ｕからスケジュール表画面３ｖに移動する。このスケジュール表画面３ｖには、例えば「○○さんが１３時からのＨ社様の来訪に対応すること」や「○○さんが中国出張中であること」などを示す内容が表示される。これにより、ノートパソコンなどの情報端末を持ち歩かなくても、ＩＤカード３により各個人のスケジュールを略リアルタイムで容易に確認することができる。
【００６０】
このスケジュール表画面３ｖに表示される情報は、図１Ａに示したサーバ４から基地局２１１，２１２，・・・，Ｎを介して送信され、ＩＤカード３のページ画像記憶部３０４に記憶される。スケジュール表画面３ｖを示す情報がサーバ４から送信される間隔は、数分〜１時間程度である。
【００６１】
図７Ｂに示す左画面３Ｌには、顔写真３ｑおよびコード記号３ｐの画像データが表示され、右画面３Ｒには、掲示板に投稿された内容を示す掲示板用の画面３ｗが表示されている。掲示板用の画面３ｗは、ボタン３ｅ，３ｆが操作されることにより表示される。例えば、順方向に表示画面を移動させるボタン３ｅが操作されて、図７Ａに示したスケジュール表画面３ｖから掲示板用の画面３ｗに移動する。この掲示板用の画面３ｗには、例えば「総務部から健康診断のお知らせ」や「コンピュータ管理室からＰＣネットワークのメンテナンス」などを示す内容が表示される。これにより、ノートパソコンなどの情報端末を持ち歩かなくても、ＩＤカード３により掲示板に投稿された内容を略リアルタイムで容易に確認することができる。
【００６２】
この掲示板用の画面３ｗに表示される情報は、図１Ａに示したサーバ４から基地局２１１，２１２，・・・，Ｎを介して送信され、ＩＤカード３のページ画像記憶部３０４に記憶される。掲示板用の画面３ｗを示す情報がサーバ４から送信される間隔は、数分〜１時間程度である。
【００６３】
［ＩＤカード３の表示例（客人用）］  
続いて、図８及び図９を参照して、ＩＤカード３の表示例（客人用）について説明する。図８Ａに示す左画面３Ｌには、コード記号３ｐの画像データが表示され、右画面３Ｒには、客人番号などを示す客人用の初期画面３ｘが表示されている。この客人用の初期画面３ｘは、ＩＤカード３のページ画像記憶部３０４に記憶されている。この例では、客人が取引先を訪問してＩＤカード３を保有する際に、最初に客人用の初期画面３ｘを示す情報をページ画像記憶部３０４に登録する。この客人用の初期画面３ｘを初期画面に設定し、リセット用のボタン３ｇが操作されると、図８Ａに示すように右画面３Ｒに客人用の初期画面３ｘが表示される。これにより、後述する他の画面から客人用の初期画面３ｘの画面に直ぐに戻ることができる。
【００６４】
図８Ｂに示す左画面３Ｌには、コード記号３ｐの画像データが表示され、右画面３Ｒには、待ち受け画面３ｙが表示されている。待ち受け画面３ｙは、ボタン３ｅ，３ｆが操作されることにより表示される。例えば、順方向に表示画面を移動させるボタン３ｅが操作されて、図８Ａに示した客人用の初期画面３ｘから待ち受け画面３ｙに移動する。この待ち受け画面３ｙには、例えば「営業の○○が参ります」といったメッセージや製品の案内情報を促すメッセージなどが表示される。これにより、来訪者は、容易に有益な情報を取得できるようになる。
【００６５】
この待ち受け画面３ｙに表示される情報は、図１Ａに示したサーバ４から基地局２１１，２１２，・・・，Ｎを介して送信され、ＩＤカード３のページ画像記憶部３０４に記憶される。待ち受け画面３ｙを示す情報がサーバ４から送信される間隔は、数分〜数十分程度である。
【００６６】
図９に示す左画面３Ｌには、コード記号３ｐの画像データが表示され、右画面３Ｒには、製品紹介画面３ｚが表示されている。製品紹介画面３ｚは、順方向に表示画面を移動させるボタン３ｅが操作されて、図８Ｂに示した待ち受け画面３ｙから移動して表示される。この製品紹介画面３ｚには新製品の内容が表示される。これにより、来訪者に対して、容易に新製品の情報を提供できるようになり、公告媒体として活用できるようになる。
【００６７】
この製品紹介画面３ｚに表示される情報は、図１Ａに示したサーバ４から基地局２１１，２１２，・・・，Ｎを介して送信され、ＩＤカード３のページ画像記憶部３０４に記憶される。製品紹介画面３ｚを示す情報がサーバ４から送信される間隔は、数分〜１時間程度である。
【００６８】
このように、本発明によれば、ＩＤカード３が、個人を認証するための個人認証情報を有すると共に情報送信ネットワーク２から送信された情報を受信して該情報を表示し、認証ネットワーク１が、このＩＤカード３の個人認証情報を読み取って個人を認証するものである。これにより、身分証、ゲートキーおよび情報端末の機能を兼ね備えたＩＤカード３により、個人を認証できると共に情報を受信して表示できる。また、ＩＤカード３は書き換え可能であるので、退職等、その個人が居なくなっても、他の個人のＩＤカード３として使用できる。
【００６９】
ノートパソコンを持ち歩いたり、備え付けのパソコンの側に居なくても、ＩＤカード３を所持していれば、掲示板やスケジュールなどの必要な情報を閲覧することができる。すでに入館した者は、ゲートステーション１０２Ａで認証されているので、ＩＤカード３に必要な情報が随時送信されてくる。
【００７０】
ＩＤカード３の操作を行わない場合は、図６Ａに示したように個人情報画面３ｔが表示され、社内での所属がわかるようなネームカードの表示になっている。ボタン３ｅ，３ｆ，３ｇを操作すると図６Ｂに示した施設スケジュール画面３ｕや、図７Ａに示したスケジュール表画面３ｖ、図７Ｂに示した掲示板用の画面３ｗに表示が切り替わる。この例では、基本画面の他３画面に切り替わる例を示したが、表示画面数が多ければメニュー画面を設定して、全ての切換画面を表示することなく、必要な画面に飛ぶようにすることもできる。
【００７１】
また、図８Ａに示したように、客人には、客人用のＩＤカード３を渡すようにする。ＩＤカード３のボタン３ｅなどを操作すると、図８Ｂに示した挨拶などの待ち受け画面３ｙが表示される。更にＩＤカード３のボタン３ｅなどを操作すると、図９に示した製品紹介画面３ｚが表示され、待ち時間やミーティングの合間に新製品情報などを閲覧できるようになる。
【００７２】
＜変形例＞  
続いて、上述した個人認証ネットワークシステム１００の変形例について説明する。基地局２１１，２１２，・・・，ＮのグループＡ〜Ｎによって表示する画面を変えてもよい。例えば、グループＡの伝搬領域が開発部の伝搬領域であれば、開発部員に必要な技術情報を送信し、グループＢの伝搬領域が営業部の伝搬領域であれば、営業部員に必要な情報を送信する。これにより、グループＡの伝搬領域に属しているとき、開発部員に必要な技術情報のみを受信することができる。また、グループＢの伝搬領域に属しているとき、営業部員に必要な情報のみを受信することができる。
【００７３】
このように伝搬領域で送信する情報を区分けする以外に、開発や営業などの部門毎に識別番号を設定し、この識別番号に分類して情報を送信するようにしてもよい。例えば、開発部には識別番号「０００１」を設定し、営業部には識別番号「０００２」を設定する。この例で、識別番号「０００１」と開発部員に必要な技術情報をセットにして基地局２１１，２１２，・・・，Ｎから送信する。開発部員のＩＤカード３には、開発部を示す識別番号「０００１」が設定されており、基地局２１１，２１２，・・・，Ｎから送信された識別番号が「０００１」に一致した場合にのみ情報を受信する。これにより、開発部員が必要な情報のみを受信することができる。
【００７４】
更に、個人毎に異なる情報を送信することも可能である。例えば、個人の識別番号とこの個人に必要な情報をセットにして基地局２１１，２１２，・・・，Ｎから送信する。個人のＩＤカード３には識別番号が設定されており、基地局２１１，２１２，・・・，Ｎから送信された識別番号が個人の識別番号に一致した場合にのみ情報を受信する。これにより、個人が必要な情報のみを受信することができる。
【００７５】
固定ステーション１１１，１１２，・・・，Ｍにはコード記号走査装置が搭載されており、ＩＤカード３のコード記号を走査することによって個人の識別番号を読み取り、この個人の識別番号に対応する情報をサーバ４に要求して、サーバ４から出力された情報を固定ステーション１１１，１１２，・・・，ＭからＩＤカード３に個別に送信するようにしてもよい。
【００７６】
退館の際には、ＩＤカード３を収納するボックスを設けてもよい。この場合、ゲートステーション１０２Ｂによりして退館を検出してゲートを開くのではなく、ＩＤカード３が入る程度の窓を設けたボックスにカードを投入することによってゲートが開くように制御する。
【００７７】
社員証としてのＩＤカード３を説明してきたが、他の用途でも使用可能である。例えば、商品展示会や博物館の催し物に適用可能である。この場合、基地局２１１，２１２，・・・，Ｎでは、それぞれ送信する情報が異なるようにする。例えば、図１０に示すように、商品展示会では、基地局２１６及び固定ステーション１１６がディスプレイ４０に表示されるＸ社の商品説明を示す情報を送信する。基地局２１６から情報を取得する場合には、基地局２１６が送信する無線信号（情報）の伝搬領域にユーザのＩＤカード３が存在すれば、ＩＤカード３は当該無線信号を受信できる。固定ステーション１１６から情報を取得する場合には、ＩＤカード３を読取部１１６ａに近づけてＩＤカード３に表示されるコード記号３ｐを読取部１１６ａに読み取らせる。すると、固定ステーション１１６に接続されたサーバ４から情報が出力されて、固定ステーション１１６からＩＤカード３に当該情報が送信され、ＩＤカード３は当該情報を受信できる。
【００７８】
また、図１１に示すように、図１０で示した商品展示会の別のブースでは、基地局２１７及び固定ステーション１１７がＹ社のロボット５０を駆動させるための駆動情報を送信する。基地局２１７から情報を取得する場合には、基地局２１７が送信する無線信号（情報）の伝搬領域にユーザのＩＤカード３が存在すれば、ＩＤカード３は当該無線信号を受信できる。固定ステーション１１７から情報を取得する場合には、ＩＤカード３を読取部１１７ａに近づけてＩＤカード３に表示されるコード記号３ｐを読取部１１７ａに読み取らせる。すると、固定ステーション１１７に接続されたサーバ４から情報が出力されて、固定ステーション１１７からＩＤカード３に当該情報が送信され、ＩＤカード３は当該情報を受信できる。また、博物館では、基地局２１１が展示物Ｘの説明を示す情報を送信し、基地局２１２が展示物Ｙの時代背景を示す情報を送信して、ＩＤカード３が情報を取得する。
【００７９】
このように、ＩＤカード３は、各基地局で異なる情報を受信して表示できるようになる。退館の際には、ＩＤカード３をボックス収納することでゲートが開く。
【００８０】
本実施例では、ゲートステーション１０２Ａ，１０２Ｂによりコード記号を走査して個人認証情報（識別番号およびパスワード）を取得したが、これに限らず、ＲＦＩＤ、Bluetooth（登録商標）及びZigBee（登録商標）のように電波などを使用した近距離無線通信で個人認証情報を取得するようにしてもよい。
【００８１】
ＲＦＩＤで個人認証情報を取得する場合について説明する。図１２に示すように、固定ステーション６０は、個人認証情報を送受信する送受信部６０ａを有し、図１Ａに示した個人認証コントローラ１０１及びサーバ４に接続される。ＩＤカード３が送受信部６０ａに接触すると、ＩＤカード３から個人認証情報が出力されて、送受信部６０ａを介して固定ステーション６０が当該個人認証情報を受信する。固定ステーション６０は、受信した個人認証情報を個人認証コントローラ１０１に送信する。個人認証コントローラ１０１は、受信した個人認証情報がサーバ４に登録されているか否かを判断する。
【００８２】
個人認証コントローラ１０１は、受信した個人認証情報がサーバ４に登録されていれば、サーバ４に記憶されている掲示板、スケジュール及び外部向けの情報等を固定ステーション６０に送信する。そして、固定ステーション６０は、個人認証コントローラ１０１から送信された情報を送受信部６０ａを介してＩＤカード３に送信する。個人認証コントローラ１０１は、受信した個人認証情報がサーバ４に登録されていなければ、情報を送信しない。
【００８３】
Bluetooth（登録商標）及びZigBee（登録商標）等で個人認証情報を取得する場合について説明する。図１３に示すように、固定ステーション７０は、個人認証情報を送受信する送受信部７０ａを有し、図１Ａに示した個人認証コントローラ１０１及びサーバ４に接続される。ＩＤカード３が送受信部７０ａに接近すると（図１２で説明した固定ステーション６０のようにＩＤカード３を送受信部６０ａに接触させなくても良い）、ＩＤカード３から個人認証情報が出力されて、送受信部７０ａを介して固定ステーション７０が当該個人認証情報を受信する。固定ステーション７０は、受信した個人認証情報を個人認証コントローラ１０１に送信する。個人認証コントローラ１０１は、受信した個人認証情報がサーバ４に登録されているか否かを判断する。
【００８４】
個人認証コントローラ１０１は、受信した個人認証情報がサーバ４に登録されていれば、サーバ４に記憶されている掲示板、スケジュール及び外部向けの情報等を固定ステーション７０に送信する。そして、固定ステーション７０は、個人認証コントローラ１０１から送信された情報を送受信部７０ａを介してＩＤカード３に送信する。個人認証コントローラ１０１は、受信した個人認証情報がサーバ４に登録されていなければ、情報を送信しない。
【００８５】
上述の場合、認証ネットワーク１は、光学系により情報を読み取るゲートステーション１０２Ａ，１０２Ｂの替わりに、電波信号を受信して個人認証情報を読み取るゲートステーション１０２Ｃ，１０２Ｄを備える。ゲートステーション１０２Ｃ，１０２Ｄは受信装置の一例である。個人認証コントローラ１０１は、ゲートステーション１０２Ｃ，１０２Ｄにより読み取られた個人認証情報に基づいて個人の入退場を管理する。
【００８６】
例えば、図１４に示すように、ＩＤカード３から個人認証情報が電波信号によりゲートステーション１０２Ｃ，１０２Ｄが有する送受信部１０３に出力され、送受信部１０３により受信された電波信号から個人認証情報が読み取られる。個人認証コントローラ１０１は、予め登録された個人認証情報の識別番号及びパスワードと、送受信部１０３により読み取られた個人認証情報の識別番号及びパスワードを照合し、これらの個人認証情報が一致すれば入口又は出口ゲート１０４を開くように制御する。
【００８７】
また、本発明は、クレジットカードやポイントカードとしても適用可能である。本発明に係るＩＤカードを店舗で使用する場合、店舗の端末装置とＩＤカードとは、前述したＲＦＩＤ、Bluetooth（登録商標）及びZigBee（登録商標）等の近距離無線によって通信を行う。
【００８８】
このような用途としてＩＤカードを使用すると、金券と同じようにＩＤカード自体に金銭的価値を有する。更に、ＩＤカードは、個人情報を蓄積しているので、盗難や紛失等にあった場合に、その被害は大変大きなものとなってしまう。故に、ＩＤカードの所有者を判別する機能によりセキュリティを向上させることが望ましい。
【００８９】
ＩＤカードのセキュリティを向上させるために２つの方法について説明する。  
まずは、前述で説明したＩＤカード３に指紋認証部３０を備えたＩＤカード３Ａについて説明する。前述の実施例と同じ名称及び符号のものは同じ機能を有するので、その説明を省略する。図１５に示すように、ＩＤカード３Ａは基板３ｉＡを有し、当該基板３ｉＡは、受信部３０１、データ取得部３０２、ページ画像生成部３０３、ページ画像記憶部３０４、表示駆動部３０５、表示部３０６、ページ切換部３０７、問い合わせ信号発信部３０８、ＣＰＵ３０９及び指紋認証部３０が設置されている。指紋認証部３０は、ＩＤカード３Ａに登録した指紋（例えば、ＩＤカード３Ａの所有者の指紋）を認証するものである。
【００９０】
図１６に示すように、指紋認証部３０は、指紋検知部３１、指紋検知制御部３２、指紋データメモリ部３３及び指紋照合部３４で構成される。指紋検知部３１は、例えば、図４で示したＩＤカード３の表示装置３ａの表面に形成される。指紋検知部３１には指紋検知制御部３２が接続される。指紋検知制御部３２は、指紋検知部３１にＩＤカード３Ａの所有者の指を接触させると、指紋検知部３１に接触された指紋を読み取り、該読み取った指紋を指紋データとして指紋データメモリ部３３に登録する。この指紋データは、一度指紋データメモリ部３３に登録されると変更できない。
【００９１】
指紋検知制御部３２には指紋照合部３４が接続される。指紋照合部３４は、指紋検知部３１で読み取った指紋が指紋データメモリ部３３で登録された指紋データの指紋と同じであるか否かを判断する（照合処理）。また、指紋検知制御部３２には図１５に示したＣＰＵ３０９が接続され、指紋検知制御部３２は、指紋の照合処理結果をＣＰＵ３０９に出力する。
【００９２】
例えば、ＩＤカード３Ａの電源をＯＮすると、図１７Ａに示すように、ＣＰＵ３０９が「個人の確認をします。枠内に左手の親指を置いて下さい。」という指紋認証要求画面３ｊを表示装置３ａに表示させる。指紋認証要求画面３ｊが表示装置３ａに表示された後に、ＩＤカード３Ａの所有者が指紋認証要求画面３ｊの枠内に指４３を接触させると、指紋検知部３１が指４３の指紋を読み取る。指紋検知制御部３２は、指紋検知部３１によって読み取られた指紋を指紋データとして指紋照合部３４に出力する。指紋照合部３４は、指紋検知制御部３２によって出力された指紋データが、指紋データメモリ部３３に登録されている指紋データと一致するか否かを判断（照合）する。
【００９３】
指紋照合部３４は、指紋データが一致すると判断すると、指紋データが一致したことを示す指紋一致情報を指紋検知制御部３２を介してＣＰＵ３０９に出力する。ＣＰＵ３０９は、指紋照合部３４から出力された指紋一致情報を受信すると、図１７Ｂに示すように、「指紋が照合しました。ＯＫ！」という指紋照合確認画面３ｌを表示装置３ａに表示させる。指紋が照合したらＩＤカード３Ａが使用可能になる。また、指紋照合部３４は、指紋データが一致しないと判断すると、指紋データが一致しないことを示す指紋不一致情報を指紋検知制御部３２を介してＣＰＵ３０９に出力する。ＣＰＵ３０９は、指紋が照合しない旨の画面を表示装置３ａに表示させる。指紋が照合しなければＩＤカード３Ａは使用できない。
【００９４】
次に、前述で説明したＩＤカード３にパスワード認証部３５を備えたＩＤカード３Ｂについて説明する。前述の実施例と同じ名称及び符号のものは同じ機能を有するので、その説明を省略する。図１８に示すように、ＩＤカード３Ｂは基板３ｉＢを有し、当該基板３ｉＢは、受信部３０１、データ取得部３０２、ページ画像生成部３０３、ページ画像記憶部３０４、表示駆動部３０５、表示部３０６、ページ切換部３０７、問い合わせ信号発信部３０８、ＣＰＵ３０９及びパスワード認証部３５が設置されている。パスワード認証部３５は、ＩＤカード３Ｂに登録したパスワードを認証するものである。
【００９５】
図１９に示すように、パスワード認証部３５は、キー操作部３６、キー制御部３７、パスワードメモリ部３８及びパスワード照合部３９で構成される。キー操作部３６は、例えば、図４で示したＩＤカード３の表示装置３ａの表面に形成される。キー操作部３６は、タッチパネルになっており、表示装置３ａに数字キーが表示され、例えば、４桁〜８桁の数字（パスワード）をキー操作部３６で入力する。キー操作部３６にはキー制御部３７が接続される。キー制御部は、キー操作部３６で入力した数字列のパスワードをパスワードデータとしてパスワードメモリ部３８に登録する。このパスワードデータは、一度パスワードメモリ部３８に登録されると変更できない。
【００９６】
キー制御部３７にはキー照合部３９が接続される。キー照合部３９は、キー操作部３６で入力されたパスワードがパスワードメモリ部３８で登録されたパスワードデータのパスワードと同じであるか否かを判断する（照合処理）。また、キー制御部３７には図１８に示したＣＰＵ３０９が接続され、キー制御部３７は、パスワードの照合処理結果をＣＰＵ３０９に出力する。
【００９７】
例えば、ＩＤカード３Ｂの電源をＯＮすると、図２０Ａに示すように、ＣＰＵ３０９が数字キーと共に「パスワードを入れて下さい。」というメッセージのパスワード要求画面３ｍを表示装置３ａに表示させる。パスワード要求画面３ｍが表示装置３ａに表示された後に、ＩＤカード３Ｂの所有者がパスワード要求画面３ｍの数字キー（キー操作部３６）でパスワードを入力すると、該入力したパスワードがキー操作部３６からキー制御部３７に出力される。キー制御部３７は、キー操作部３６から出力されたパスワードをパスワードデータとしてパスワード照合部３９に出力する。パスワード照合部３９は、キー制御部３７によって出力されたパスワードデータが、パスワードメモリ部３８に登録されているパスワードデータと一致するか否かを判断（照合）する。
【００９８】
パスワード照合部３９は、パスワードデータが一致すると判断すると、パスワードデータが一致したことを示すパスワード一致情報をキー制御部３７を介してＣＰＵ３０９に出力する。ＣＰＵ３０９は、パスワード照合部３９から出力されたパスワード一致情報を受信すると、図２０Ｂに示すように、「パスワードが照合しました。」というパスワード照合確認画面３ｎを表示装置３ａに表示させる。パスワードが照合したらＩＤカード３Ｂが使用可能になる。また、パスワード照合部３９は、パスワードデータが一致しないと判断すると、パスワードデータが一致しないことを示すパスワード不一致情報をキー制御部３７を介してＣＰＵ３０９に出力する。ＣＰＵ３０９は、パスワードが照合しない旨の画面を表示装置３ａに表示させる。パスワードが照合しなければＩＤカード３Ｂは使用できない。
【００９９】
なお、本実施例では、パスワード要求画面３ｍとして数字キーを表示装置３ａに表示して、数字キーでパスワードを設定することを説明したが、これに限定されず、パスワード要求画面３ｍとしてひらがなキー、カタカナキー及び英字キー等を表示装置３ａに表示して、該表示されたひらがなキー、カタカナキー及び英字キー等でパスワードを設定するようにしても良い。
【０１００】
また、所定の時間が経過するとＩＤカード３Ａ，３Ｂの電源がＯＦＦになるように、基板３ｉＡ，３ｉＢにタイマ手段を設けても良い。この場合、ＩＤカード３Ａ，３Ｂの電源を再度ＯＮにする場合には、指紋照合又はパスワード照合が必要になる。これにより、ＩＤカード３Ａ，３Ｂのセキュリティが更に向上する。
【０１０１】
更に、特定のコンピュータでＩＤカード３Ａの指紋データメモリ部３３に登録されている指紋データ、又はＩＤカード３Ｂのパスワードメモリ部３８に登録されているパスワードデータを削除して、初期状態にするようにしても構わない。これにより、ＩＤカード３Ａ，３Ｂの所有者を変えて、当該ＩＤカード３Ａ，３Ｂを繰り返し使用することができる。
【産業上の利用可能性】
【０１０２】
本発明は、個人を認証するための個人認証カードおよびこれを用いた個人認証ネットワークシステムに適用して極めて好適である。
【符号の説明】
【０１０３】
１・・・認証ネットワーク、２・・・情報送信ネットワーク、３，３Ａ，３Ｂ・・・ＩＤカード（個人認証カード）、３ｅ，３ｆ，３ｇ・・・ボタン（スイッチ部）、１００・・・個人認証ネットワークシステム、１０１・・・個人認証コントローラ、１０２Ａ，１０２Ｂ・・・ゲートステーション（コード記号走査装置）、１０２Ｃ，１０２Ｄ・・・ゲートステーション（受信装置）、３０１・・・受信部、３０３・・・ページ画像生成部（生成部）、３０４・・・ページ画像記憶部（記憶部）、３０６・・・表示部、３０７・・・ページ切換部（スイッチ部）
【図１】
2011118852.tif 000003
【図２】
2011118852.tif 000004
【図３】
2011118852.tif 000005
【図４】
2011118852.tif 000006
【図５】
2011118852.tif 000007
【図６】
2011118852.tif 000008
【図７】
2011118852.tif 000009
【図８】
2011118852.tif 000010
【図９】
2011118852.tif 000011
【図１０】
2011118852.tif 000012
【図１１】
2011118852.tif 000013
【図１２】
2011118852.tif 000014
【図１３】
2011118852.tif 000015
【図１４】
2011118852.tif 000016
【図１５】
2011118852.tif 000017
【図１６】
2011118852.tif 000018
【図１７】
2011118852.tif 000019
【図１８】
2011118852.tif 000020
【図１９】
2011118852.tif 000021
【図２０】
2011118852.tif 000022